【事件の表示】
　特許第３２３８１６７号「チューニング可能なバンドパス・フィルタ」の請求項１ないし７、９に係る特許に対する特許異議の申立てについて、次のとおり決定する。
【結　論】
　特許第３２３８１６７号の請求項４、５に係る特許を取り消す。
　同請求項１、２、３、６、７、９に係る特許を維持する。
【理　由】
　
１．本件特許
　
　特許第３２３８１６７号（平成３年８月１２日出願、平成１３年１０月５日設定登録。）の請求項１−７、９に係る発明（以下、「本件第１発明」−「本件第７発明」、「本件第９発明」という。）は、特許明細書及び図面の記載からみて、その特許請求の範囲の請求項１−７、９に記載された以下のとおりのものと認める。
　
【請求項１】　所定の範囲の無線周波数信号を選択的に通過させるためのフィルタにおいて、
　内側の導線と外側の導線とを備える少なくとも２つの容量的又は誘導的に結合された同軸共振器と、
　前記共振器の少なくとも１つの内側の導線に結合されて、前記フィルタにより通過せしめられる周波数の範囲を調整するためのチューニング手段と、
　前記チューニング手段に制御信号を入力するための手段と、
　前記共振器の少なくとも１つに結合されて、前記所定の範囲の無線周波数の外側の無線周波数の信号を減衰させるためのリアクタンス性手段であって、そこに入力される制御信号に応じて、減衰させる周波数の範囲を調整するようになったリアクタンス性手段と、を備えており、
　前記フィルタにより通過される周波数の範囲は、前記チューニング手段に入力される制御信号に応じて、前記チューニング手段により調整されることを特徴とするフィルタ。
【請求項２】　前記リアクタンス性手段は、前記共振器の各々に電気的に直列に結合されている請求項１に記載のフィルタ。
【請求項３】　前記リアクタンス性手段は、可変キャパシタンス・ダイオードを含む請求項１又は２に記載のフィルタ。
【請求項４】　前記少なくとも２つの共振器は、伝送線路を使用した装置である請求項１又は２又は３に記載のフィルタ。
【請求項５】　前記伝送線路を使用した装置は、同軸誘電体共振器である請求項４に記載のフィルタ。
【請求項６】　前記チューニング手段は、前記共振器の各々に電気的に並列に結合されている請求項１から５のうちのいずれか１項に記載のフィルタ。
【請求項７】　前記共振器の各々は、第１および第２の端面を有し、前記共振器の各々の前記第１の端面は、共通の電位に接続されている請求項１から６のうちのいずれか１項に記載のフィルタ。
【請求項９】　前記チューニング手段は、可変のキャパシタンス・ダイオードを含む請求項１から８のうちのいずれか１項に記載のフィルタ。
　
　
２．申立の理由の概要
　
　特許異議申立人　佐野　優は、本件第１、２、３、６、７、９発明に係る特許は、甲第１号証（実開昭６３−１１３３１７号の全文明細書）、または、参考資料（特開昭６３−９３０３号公報）に記載された発明と同一であり（理由１）、本件第１、４、５発明に係る特許は明確でない（理由２）から、本件第１−７、９発明に係る特許は、取り消すべきものである、旨の主張をしている。
　
　
３．申立人が提出した証拠に記載された発明
　
３−１　甲第１号証記載の発明
　
　甲第１号証には、第１図とともに以下の（１）−（２）の記載がある。
　
（１）「減衰極周波数変更手段７は、入力端子１ａと結合容量６ａとの接続部８とアースライン４との間に、容量９とインダクティブ領域で動作させる共振器１０との直列回路と、その共振器１０に並列に接続された可変容量ダイオード１１とを含む。
　共振器１０は、各共振器５ａ，５ｂ，５ｃと同様の誘電体同軸共振器で構成されている。そして、その誘電体同軸共振器の開放端側が容量９を介してホットライン３に短絡端側がアースライン４に接続されている。
　１２は、このような減衰極周波数変更手段７内の可変容量ダイオード１１に可変電圧を印加する可変電圧印加手段としての可変直流電源であって、この可変直流電源１２のプラス側は高周波阻止コイル１３を介して可変容量ダイオード１１のカソードに、またそのマイナス側は可変容量ダイオード１１のアノードにそれぞれ接続されている。
　このような構成において、この帯域通過フィルタ」（第６頁第１３行−第７頁第１１行）、
　
（２）「共振器の段数は説明の都合上にすぎず、その段数に何等限定されるものではない」（第８頁第３行−同頁第５行）。
　
　上記（１）−（２）および第１図の記載ないし当該分野の技術常識を考慮すると、甲第１号証には、
　
「帯域通過フィルタにおいて、
　開放端と短絡端とを備える少なくとも２つの容量的又は誘導的に結合された誘電体同軸共振器と、
　前記共振器の少なくとも１つの開放端に結合されて、前記フィルタにより通過せしめられる周波数の範囲を調整するための可変容量ダイオードと、
　前記可変容量ダイオードに可変電圧を印加する可変電圧印加手段と、
　前記共振器の少なくとも１つに結合された容量と、を備えており、
　前記フィルタにより通過される周波数の範囲は、前記可変容量ダイオードに入力される可変電圧に応じて、前記可変容量ダイオードにより調整されることを特徴とする帯域通過フィルタ。」（以下、「甲第１号証記載の発明」という。）が記載されているものと認められる。
　
３−２　参考資料記載の発明
　
　参考資料記載には、第３図とともに以下の（３）−（５）の記載がある。
　
（３）「第１および第２の帯域通過マイクロ波フィルタ」（第６頁右下欄第２行−同欄第３行）、
　
（４）「誘電体同軸共振器１０はＴｉＯ３系セラミックのような高誘電体材料で形成された円筒状誘電体１１に、外導体１２と内導体１３が被着されており、一端が短絡端、他端が開放端になっている。開放端側において、可変容量ダイオードＤのアノードが外導体１２に、カソードが内導体１３にそれぞれ接続している。可変容量ダイオードＤのカソードは、交流阻止用のコイルＬを介して可変電圧源Ｅに接続されている。」（第３頁左上欄第１０行−同欄下から２行）、
　
（５）「第３図は分布共振線路を使ったマイクロ波フィルタの例を示している。
　同図において、２１〜２３は誘電体同軸共振器、Ｄ１〜Ｄ３は可変容量ダイオード、Ｌ１〜Ｌ３は直流阻止コイル、Ｅ１〜Ｅ３は可変電圧源、Ｃ１〜Ｃ４は結合容量である。このような構成のマイクロ波フィルタにおいても、可変電圧源Ｅ１〜Ｅ３の電圧を適宜に可変することによって、マイクロ波フィルタの中心周波数さらにはその帯域幅を可変にすることができる。」（第３頁右上欄下から４行−同頁左下欄第６行）。
　
　上記（３）−（５）および第３図の記載ないし当該分野の技術常識を考慮すると、参考資料には、
　
「帯域通過マイクロ波フィルタにおいて、
　開放端と短絡端とを備える少なくとも２つの容量的又は誘導的に結合された誘電体同軸共振器と、
　前記共振器の少なくとも１つの開放端に結合されて、前記フィルタにより通過せしめられる周波数の範囲を調整するための可変容量ダイオードと、
　前記可変容量ダイオードに電圧を入力するための可変電圧源と、を備えており、
　前記フィルタにより通過される周波数の範囲は、前記可変容量ダイオードに入力される電圧に応じて、前記可変容量ダイオードにより調整されることを特徴とするフィルタ帯域通過マイクロ波フィルタ。」（以下、「参考資料記載の発明」という。）が記載されているものと認められる。
　
　
４．対比・判断
　
４−１　理由１について
　
４−１−１　本件第１発明について
　
　本件第１発明と甲第１号証記載の発明または参考資料記載の発明を対比すると、いずれの発明にも、本件第１発明の構成に欠くことのできない事項である「前記共振器の少なくとも１つに結合されて、前記所定の範囲の無線周波数の外側の無線周波数の信号を減衰させるためのリアクタンス性手段であって、そこに入力される制御信号に応じて、減衰させる周波数の範囲を調整するようになったリアクタンス性手段」が記載されていない。
　
　そして、この構成により、本件第１発明は、段落２１記載の「ゼロの位置が所望の点にピッタリ位置するように、例えば、通過帯域の下方４５MHz に正確に位置し得るようにゼロの点を制御可能ならしめる。」という顕著な効果を奏するものである。
　
　したがって、本願第１発明は甲第１号証記載の発明と同一でなく、参考資料記載の発明とも同一でない。
　
４−１−２　本件第２，３，６，７，９発明について
　
　本件第２、３、６、７、９発明は、本件第１発明を引用しその構成を限定するものであるから、甲第１号証記載の発明と同一でなく、参考資料記載の発明とも同一でない。
　
４−２　理由２について
　
　本件第４、５発明については、その明確でないとの取消理由を平成１４年８月７日付けで通知し、期間を指定して意見書を提出する機会を与えたが、特許権者からは何らの応答もない。そして、上記の取消理由は妥当なものと認められる。
　
　また、異議申立人は、本件第１発明について、本件第４、５発明との関係において本件第１発明が明確でない旨主張しているが、上記理由により本件第４、５発明は取り消されるから、本件第１発明は明瞭なものとなった。
　
　
５．むすび
　
　以上のとおりであるから、本件の請求項４、５に係る発明の特許は、特許法第１１３条第４号に該当し、取り消されるべきものである。
　
　また、本件の請求項１、２、３、６、７、９に係る発明の特許については、取り消しの理由を発見しない。
　
　よって、結論のとおり決定する。
【異議決定日】
平成１５年４月１日（２００３．４．１）